(57)【要約】【課題】個人情報の流出を防止するとともに、容易に個人情報を確認することができるようにする。【解決手段】記憶部１１は、電話帳データとして非公開データと公開データとを記憶する。表示制御部１５ａは、操作部１３にパスワードの入力がなかった場合、操作部１３が受け付けたパスワードと設定ワードと一致しなかった場合、公開データのみを表示部１４に表示させる。操作部１３が受け付けたパスワードと設定ワードと一致した場合、表示制御部１５ａは、表示部１４に、公開データとともに、非公開データも表示させる。【選択図】図１
2010239306.tif 000002
【特許請求の範囲】
【請求項１】
通信先登録名と通信先接続情報とを関連付けて記憶する記憶部と、
情報を表示する表示部と、
パスワードを受け付けるパスワード受付部と、
前記パスワード受付部が受け付けたパスワードと予め設定された設定ワードとを照合し、一致したときは、前記記憶部が記憶する前記通信先接続情報を前記通信先登録名と関連付けて前記表示部に表示させ、不一致のときは、前記通信先登録名のみを前記表示部に表示させる表示制御部と、を備えた、
ことを特徴とする通信装置。
【請求項２】
前記記憶部は、前記通信先接続情報として、通信先電話番号を記憶する、
ことを特徴とする請求項１に記載の通信装置。
【請求項３】
前記記憶部は、前記通信先登録名と前記通信先接続情報とを関連付ける識別情報を前記設定ワードとして前記通信先登録名毎に記憶する、
ことを特徴とする請求項１又は２に記載の通信装置。
【請求項４】
前記表示制御部は、前記パスワード受付部が受け付けたパスワードと前記設定ワードとが一致した前記通信先接続情報のみを、前記通信先登録名と関連付けて前記表示部に表示させる、
ことを特徴とする請求項３に記載の通信装置。
【請求項５】
通信先登録名と通信先接続情報とを関連付けて記憶するステップと、
前記通信先登録名を表示するステップと、
パスワードを受け付けるステップと、
受け付けた前記パスワードと予め設定された設定ワードとを照合し、一致したときは、記憶する前記通信先接続情報を前記通信先登録名と関連付けて表示し、不一致のときは、前記通信先接続情報の表示を制限するステップと、を備えた、
ことを特徴とする通信装置の情報表示方法。
【請求項６】
コンピュータに、
通信先登録名と通信先接続情報とを関連付けて記憶する手順、
前記通信先登録名を表示する手順、
パスワードを受け付ける手順、
受け付けた前記パスワードと予め設定された設定ワードとを照合し、一致したときは、記憶する前記通信先接続情報を前記通信先登録名と関連付けて表示し、不一致のときは、前記通信先接続情報の表示を制限する手順、
を実行させるためのプログラム。
【発明の詳細な説明】
【技術分野】
【０００１】
本発明は、通信装置、通信装置の情報表示方法及びプログラムに関するものである。
【背景技術】
【０００２】
通信装置として、例えば、携帯電話装置の小型化、軽量化により、携帯電話装置の普及が進んでいる。
【０００３】
しかし、携帯電話装置には、通話相手である送信先の氏名、電話番号などが登録された電話帳データが記憶されており、例えば、携帯電話装置の紛失により、送信先の個人情報が流出するおそれがある。
【０００４】
このような電話帳データが第三者に流出されないようにするため、送信先の電話番号を記憶する代わりに、送信先携帯電話装置に固有の装置番号を記憶して、装置番号を非公開とした携帯電話装置がある（例えば、特許文献１参照）。
【０００５】
この携帯電話装置を用いたシステムでは、複数の携帯電話装置の通信を中継する中継局を備え、中継局は、各携帯電話装置の電話番号と装置番号との対応を示す対応データベースを備える。
【０００６】
そして、発信元の携帯電話装置が送信先識別情報と送信先装置番号とを中継局に送信すると、中継局は、対応データベースを参照して、送信先装置番号を送信先電話番号に変換することにより、発信元の携帯電話装置と送信先携帯電話装置との接続を確立させる。
【先行技術文献】
【特許文献】
【０００７】
【特許文献１】特開２００８−９８８７７号公報（第１頁、第５頁、図１−４、１２）
【発明の概要】
【発明が解決しようとする課題】
【０００８】
しかし、このような従来のシステムでは、発信元の携帯電話装置には、相手先電話番号が記憶されていないため、相手先電話番号を確認しようとしても確認することができない。
【０００９】
本発明は、このような従来の問題点に鑑みてなされたもので、容易に個人情報を確認することが可能な通信装置、通信装置の情報表示方法及びプログラムを提供することを目的とする。
【課題を解決するための手段】
【００１０】
この目的を達成するため、本発明の第１の観点に係る通信装置は、
通信先登録名と通信先接続情報とを関連付けて記憶する記憶部と、
情報を表示する表示部と、
パスワードを受け付けるパスワード受付部と、
前記パスワード受付部が受け付けたパスワードと予め設定された設定ワードとを照合し、一致したときは、前記記憶部が記憶する前記通信先接続情報を前記通信先登録名と関連付けて前記表示部に表示させ、不一致のときは、前記通信先登録名のみを前記表示部に表示させる表示制御部と、を備えたことを特徴とする。
【００１１】
本発明の第２の観点に係る通信装置の情報表示方法は、
通信先登録名と通信先接続情報とを関連付けて記憶するステップと、
前記通信先登録名を表示するステップと、
パスワードを受け付けるステップと、
受け付けた前記パスワードと予め設定された設定ワードとを照合し、一致したときは、記憶する前記通信先接続情報を前記通信先登録名と関連付けて表示し、不一致のときは、前記通信先接続情報の表示を制限するステップと、を備えたことを特徴とする。
【００１２】
本発明の第３の観点に係るプログラムは、
コンピュータに、
通信先登録名と通信先接続情報とを関連付けて記憶する手順、
前記通信先登録名を表示する手順、
パスワードを受け付ける手順、
受け付けた前記パスワードと予め設定された設定ワードとを照合し、一致したときは、記憶する前記通信先接続情報を前記通信先登録名と関連付けて表示し、不一致のときは、前記通信先接続情報の表示を制限する手順、
を実行させるためのものである。
【発明の効果】
【００１３】
本発明によれば、容易に個人情報を確認することができる。
【図面の簡単な説明】
【００１４】
【図１】本発明の実施形態１に係る携帯電話装置の構成を示すブロック図である。
【図２】図１に示す携帯電話装置を用いた通信システムの構成を示す図である。
【図３】図１に示す携帯電話装置が実行する受信処理を示すフローチャートである。
【図４】受信処理時に受信した通信先の電話番号が電話帳データに未登録の場合に、表示部の表示例を示す図である。
【図５】受信処理時に受信した通信先の電話番号が電話帳データに登録されている場合に、公開データのみを表示する表示部の表示例を示す図である。
【図６】受信処理時に、公開データと非公開データとを表示する表示部の表示例を示す図である。
【図７】図１に示す携帯電話装置が実行する発信処理を示すフローチャートである。
【図８】発信処理時に表示部が表示する電話帳データの表示例を示す図である。
【図９】送信処理時に、公開データと非公開データとを表示する表示部の表示例を示す図である。
【図１０】応用例として、入力されたパスワードと設定ワードとが一致した場合に、電話帳データをすべて表示する表示部の表示例を示す図である。
【発明を実施するための形態】
【００１５】
以下、本発明の実施形態に係る通信装置を図面を参照して説明する。尚、以下の実施形態では、通信装置を携帯電話装置として説明する。
【００１６】
実施形態に係る携帯電話装置の構成を図１に示す。
本実施形態に係る携帯電話装置１は、記憶部１１と、通信部１２と、操作部１３と、表示部１４と、制御部１５と、を備える。
【００１７】
記憶部１１は、電話帳データ等を記憶するものである。電話帳データは、公開データと非公開データとＩＤとからなる。
【００１８】
公開データは、通信するのに公開する必要があるデータであり、非公開データは、通信先接続情報としての電話番号、氏名、のような通信先の個人情報であって、第三者に特定されないようにしなければならないデータである。
【００１９】
ＩＤは、公開データと非公開データとを関連付けるための識別情報である。また、記憶部１１は、予め設定された設定ワードを記憶する。設定ワードは、非公開データの公開の制限を解除するためのパスワードと比較するためのデータである。
【００２０】
通信部１２は、外部と情報を送受信するものである。
【００２１】
操作部１３は、通話ボタン、テンキー、上下左右のスクロールキー、選択キー等（いずれも図示せず）を備えて使用者の入力を受け付けるためのものである。
【００２２】
通話ボタンは、通話するためのボタンである。テンキーは、通信先の電話番号、アルファベット、記号等を入力するためのものである。上下左右のスクロールキーは、表示を上下左右に移動させるためのキーである。選択キーは、選択されたデータを決定するためのキーである。
【００２３】
操作部１３は、使用者が入力するデータとして、記憶部１１が記憶する非公開データの公開の制限を解除するためのパスワードを受け付ける。操作部１３は、使用者の入力を受け付けると入力された情報を制御部１５に供給する。
【００２４】
表示部１４は、情報を表示するものであり、例えば、液晶パネル、有機ＥＬパネル（Organic Electro-Luminescent Panel）が用いられる。
【００２５】
制御部１５は、携帯電話装置１の動作を制御するものであり、ＣＰＵ（Central Processing Unit），ＲＯＭ（Read Only Memory），ＲＡＭ（Random Access Memory）等（図示せず）を備える。
【００２６】
ＲＯＭは、プログラムデータ等を記憶するものであり、ＣＰＵは、ＲＯＭに記憶されたデータのプログラムに従って処理を実行する。ＲＡＭは、ＣＰＵが処理を実行するのに必要なデータを記憶するものである。
【００２７】
この制御部１５は、表示制御部１５ａを備える。表示制御部１５ａは、記憶部１１から設定ワードを読み出して、操作部１３が受け付けたパスワードと設定ワードとを照合し、不一致の場合は、非公開データの表示を制限し、一致した場合は、非公開データの表示の制限を解除するものである。
【００２８】
このような携帯電話装置１は、図２に示すような通信システム１００に用いられる。
【００２９】
この通信システム１００は、携帯電話装置１と、情報処理装置２と、データ管理装置３と、を備える。情報処理装置２とデータ管理装置３とは、例えば、社内のネットワーク回線網４を介して接続され、データ管理装置３と携帯電話装置１とは、電話回線網５を介して接続される。
【００３０】
情報処理装置２は、社員ＩＤを用いてログインして情報処理を行うための端末（コンピュータ）であり、携帯電話装置１の制御部１５と同様のＣＰＵ，ＲＯＭ，ＲＡＭ等を備える。
【００３１】
情報処理装置２は、携帯電話装置１の記憶部１１が記憶する図１に示す電話帳データを作成する。情報処理装置２は、作成した電話帳データをネットワーク回線網４を介してデータ管理装置３に送信する。
【００３２】
データ管理装置３は、データを送受信したり、保持したりするためのものであり、例えば、社内に設置された社内サーバのようなものであり、携帯電話装置１の制御部１５と同様のＣＰＵ，ＲＯＭ，ＲＡＭ等を備える。
【００３３】
データ管理装置３は、情報処理装置２から受信した電話帳データを保存する。また、データ管理装置３は、保存した電話帳データのうち、各電話番号と各氏名とには公開用フラグを付与し、表示名と備考とには非公開用のフラグを付与し、そして、電話回線網５を通じて、携帯電話装置１に送信する。
【００３４】
次に本実施形態に係る通信システム１００の動作を説明する。
情報処理装置２は、電話帳データを作成し、作成した電話帳データをネットワーク回線網４を介してデータ管理装置３に送信する。
【００３５】
データ管理装置３は、情報処理装置２から受信した電話帳データを保存し、各電話番号と各氏名とには公開用フラグを付与し、表示名と備考とには非公開用のフラグを付与し、電話回線網５を通じて、携帯電話装置１に送信する。
【００３６】
携帯電話装置１の通信部１２は、データ管理装置３から送信された電話帳データを受信して制御部１５に供給する。制御部１５は、供給された電話帳データを記憶部１１に記憶する。制御部１５は、非公開用フラグが付与された電話番号と氏名とを非公開データとして記憶部１１に記憶し、公開用フラグが付与された表示名と備考とを公開データとして記憶部１１に記憶する。
【００３７】
この携帯電話装置１に着信があると、携帯電話装置１は、図３に示すフローチャートに従って、受信処理を実行する。
【００３８】
制御部１５は、記憶部１１が記憶する電話帳データを参照し、受信した電話番号が電話帳データに登録されているか否かを判別する（ステップＳ１１）。
【００３９】
受信した電話番号が電話帳データに登録されていなかった場合、あるいは、公開データが未登録の場合（ステップＳ１１；Ｎｏ）、表示制御部１５ａは、表示部１４に「未登録」を表示させて（ステップＳ１２）、この受信処理を終了させる。
【００４０】
受信した電話番号が電話帳データに登録されている場合（ステップＳ１１；Ｙｅｓ）、制御部１５は、該当の電話番号に対応付けられているＩＤを取得する（ステップＳ１３）。
【００４１】
制御部１５は、取得したＩＤに関連付けられた公開データの通信先登録名と備考とを取得し、表示制御部１５ａは、通信先登録名と備考とを表示部１４に表示させる（ステップＳ１４）。
【００４２】
制御部１５は、操作部１３が使用者のパスワードの入力を受け付けて、パスワードが入力されたか否かを判定する（ステップＳ１５）。
【００４３】
パスワードの入力がなかった場合（ステップＳ１５；Ｎｏ）、表示制御部１５ａは、非公開データの表示部１４への表示を制限する。
【００４４】
使用者が操作部１３のキー、ボタンを操作してパスワードが入力された場合（ステップＳ１５；Ｙｅｓ）、操作部１３は、このパスワードを受け付け、表示制御部１５ａは、操作部１３が受け付けたパスワードと設定ワードとを照合し、一致するか否かを判定する（ステップＳ１６）。
【００４５】
操作部１３が受け付けたパスワードと設定ワードとが一致しなかった場合（ステップＳ１６；Ｎｏ）、表示制御部１５ａは、非公開データの表示部１４への表示を制限する。
【００４６】
一方、操作部１３が受け付けたパスワードと設定ワードとが一致した場合（ステップＳ１６；Ｙｅｓ）、表示制御部１５ａは、非公開データの電話番号と氏名とを表示部１４に表示させる（ステップＳ１７）。
【００４７】
制御部１５は、操作部１３の通話ボタンが押下されたか否かを判定する（ステップＳ１８）。
【００４８】
操作部１３の通話ボタンが押下されたとき（ステップＳ１８；Ｙｅｓ）、制御部１５は、接続を確立させて（ステップＳ１９）、この受信処理を終了させ、操作部１３の通話ボタンが押下されなかったときは（ステップＳ１８；Ｎｏ）、制御部１５は、そのまま、この受信処理を終了させる。
【００４９】
この受信処理を具体的に説明する。
例えば、図１に示す電話帳データ以外の人の携帯電話装置１から着信があった場合、あるいは、公開データが未登録の場合、（ステップＳ１１；Ｎｏ）、図４に示すように、表示部１４は、表示制御部１５ａに制御され、「未登録」を表示する（ステップＳ１２の処理）。
【００５０】
一方、社員Ａさんから着信があった場合、社員Ａさんの電話番号１は、図１に示す電話帳データに登録されているため（ステップＳ１１；Ｙｅｓ）、社員Ａさんの電話番号１に対応付けられているID_01を取得する（ステップＳ１３の処理）。
【００５１】
そして、表示部１４は、図５に示すように、表示制御部１５ａに制御されてID_01に関連付けられた公開データの通信先登録名：「社員  Ａさん」と備考：「社用  固定」を表示する。このため、使用者は、受信中の通話相手がどの通信先に該当するのを判別することができる。
【００５２】
パスワードが入力されなかった場合（ステップＳ１５；Ｎｏ）、表示制御部１５ａは、非公開データの表示を制限し、表示部１４は、ID_01に関連付けられた非公開データの「電話番号１」、「氏名１」を表示しない。
【００５３】
次に、例えば、予め設定された設定ワードを「ｘｙｚ」として、パスワードが入力された場合でも（ステップＳ１５；Ｙｅｓ）、使用者が操作部１３の各キー、ボタンを操作して、パスワード「ｙｖｗ」が入力されたとき、入力されたパスワード「ｙｖｗ」と設定ワード「ｘｙｚ」とが不一致となる（ステップＳ１６；Ｎｏ）。
【００５４】
このため、表示制御部１５ａは、非公開データの表示を制限し、表示部１４は、ID_01に関連付けられた非公開データの「電話番号１」、「氏名１」を表示しない。このため、第三者に個人情報が漏洩することが防止される。
【００５５】
一方、入力されたパスワード「ｘｙｚ」だった場合、入力されたパスワード「ｘｙｚ」と設定ワード「ｘｙｚ」とが一致するため（ステップＳ１６；Ｙｅｓ）、表示部１４は、図６に示すように、ID_01に関連付けられた非公開データの「電話番号１」、「氏名１」も表示する（ステップＳ１７の処理）。このため、使用者は、社員Ａさんの「電話番号１」、「氏名１」を確認することができる。
【００５６】
そして、通話ボタンが押下されると（ステップＳ１８；Ｙｅｓ）、制御部１５は、接続を確立させて（ステップＳ１９）、社員Ａさんとの通話が開始される。
【００５７】
次に、使用者が、電話帳データを参照して発信するように操作部１３を操作すると、制御部１５は、図７に示すフローチャートに従って発信処理を実行する。
【００５８】
表示制御部１５ａは、表示部１４に、公開データの通信先登録名と備考とを表示させる（ステップＳ３１）。
【００５９】
制御部１５は、通信先登録名に関連付けられたＩＤを取得する（ステップＳ３２）。
【００６０】
制御部１５は、ＩＤに関連付けられた非公開データの通信先の電話番号と氏名とを取得する（ステップＳ３３）。
【００６１】
制御部１５は、パスワードが入力されたか否かを判定する（ステップＳ３４）。パスワードが入力されなかった場合（ステップＳ３４；Ｎｏ）、表示制御部１５ａは、非公開データの表示部１４への表示を制限する。
【００６２】
使用者が操作部１３の各キー、ボタンを操作してパスワードが入力された場合（ステップＳ３４；Ｙｅｓ）、操作部１３は、このパスワードの入力を受け付けて、表示制御部１５ａは、入力されたパスワードと設定ワードとを照合する（ステップＳ３５）。
【００６３】
照合の結果、入力されたパスワードと設定ワードとが一致しなかった場合（ステップＳ３５；Ｎｏ）、制御部１５は、この発信処理を終了させる。
【００６４】
照合の結果、入力されたパスワードと設定ワードとが一致した場合（ステップＳ３５；Ｙｅｓ）、表示制御部１５ａは、非公開データの電話番号と氏名とを表示部１４に表示させる（ステップＳ３６）。
【００６５】
制御部１５は、通話するか否かを判定する（ステップＳ３７）。使用者が操作部１３の通話ボタンを押下した場合、制御部１５は、通話すると判定し（ステップＳ３７；Ｙｅｓ）、接続を確立する（ステップＳ３８）。
【００６６】
使用者によって操作部１３の通話ボタンが押下されずに一定期間経過した場合、制御部１５は、通話しないと判定し（ステップＳ３７；Ｎｏ）、接続を確立せずにこの発信処理を終了させる。
【００６７】
この発信処理を具体的に説明する。
使用者が、電話帳データを参照して発信するように操作部１３を操作すると、表示部１４は、表示制御部１５ａに制御されて、図８に示すような公開データの通信先登録名と備考とを表示する（ステップＳ３１の処理）。
【００６８】
操作部１３の上下左右のスクロールキーが操作されると、表示部１４は、画面をスクロールする。
【００６９】
例えば、使用者が操作部１３を操作することによって通信先登録名「社員  Ａさん」が選択されると、制御部１５は、電話帳データの非公開データのこの通信先登録名「社員  Ａさん」に関連付けられたID_01を取得する（ステップＳ３２の処理）。
【００７０】
パスワードが入力されずに操作部１３の通話ボタンが押下されると（ステップＳ３４；Ｎｏ、ステップＳ３７；Ｙｅｓ）、表示部１４は非公開データを表示せず、制御部１５は、接続を確立する（ステップＳ３８の処理）。
【００７１】
例えば、予め設定された設定ワードを同じように「ｘｙｚ」として、パスワードが入力された場合でも（ステップＳ３４；Ｙｅｓ）、使用者により入力されたパスワードが「ａｂｃ」だったとき、入力されたパスワード「ａｂｃ」と設定ワード「ｘｙｚ」とが不一致となる（ステップＳ３５；Ｎｏ）。
【００７２】
このため、表示制御部１５ａは、非公開データの表示を制限し、表示部１４は、ID_01に関連付けられた非公開データの「電話番号１」、「氏名１」を表示しない。このため、第三者に個人情報が漏洩することが防止される。
【００７３】
一方、入力されたパスワード「ｘｙｚ」だった場合、入力されたパスワード「ｘｙｚ」と設定ワード「ｘｙｚ」とが一致するため（ステップＳ３５；Ｙｅｓ）、表示部１４は、図９に示すように、ID_01に関連付けられた非公開データの「電話番号１」、「氏名１」を表示する（ステップＳ３５の処理）。このため、使用者は、社員Ａさんの「電話番号１」、「氏名１」を確認することができる。
【００７４】
そして、通話ボタンが押下されると（ステップＳ３７；Ｙｅｓ）、制御部１５は、接続を確立させて（ステップＳ３８）、社員Ａさんとの通話が開始される。
【００７５】
以上説明したように、本実施形態によれば、表示制御部１５ａは、電話番号と氏名とを、第三者に漏洩されると問題になるような個人情報として表示部１４への表示を制限するようにした。一方、表示制御部１５ａは、パスワードの入力を受け付けることによって、使用者には非公開データであったとしても、公開できるようにした。
【００７６】
従って、着信時、発信時、容易に電話番号、氏名等の個人情報を確認することができる。
【００７７】
また、パスワードが入力されなかった場合、あるいは、入力されたパスワードが設定ワードと一致しなかった場合には、非公開データは表示されないので、第三者への個人情報の漏洩を防止することもできる。
【００７８】
尚、本発明を実施するにあたっては、種々の形態が考えられ、上記実施形態に限られるものではない。
【００７９】
例えば、上記実施形態では、通信先接続情報を電話番号として説明した。しかし、通信先接続情報は、電話番号に限られるものではなく、例えば、メールアドレスであってもよい。
【００８０】
また、パスワードは、１つに限られるものではなく、２つ以上であってもよく、また、例えば、非公開データと公開データとを関連付ける各ＩＤを設定ワードとしてもよい。
【００８１】
また、入力されたパスワードと設定ワードが一致した場合、図１０に示すように、非公開データを含めて電話帳データすべてを表示するようにしてもよい。
【００８２】
上記実施形態では、通信装置を携帯電話装置として説明した。しかし、通信装置は、携帯電話装置に限られるものではなく、例えば、携帯型パーソナルコンピュータ、携帯情報端末、ＰＨＳ（Ｐｅｒｓｏｎａｌ  Ｈａｎｄｙ−ｐｈｏｎｅ  Ｓｙｓｔｅｍ）等であってもよい。
【００８３】
上記実施形態では、通信システム１００として、データ管理装置３と携帯電話装置１とが電話回線網５を介して接続され、データを送受信するシステムについて説明した。しかし、通信システム１００は、このものに限られるものではなく、例えば、ハードウェアインターフェースや有線ＬＡＮ等を利用したシステムであってもよいし、赤外線通信やＢｌｕｅｔｏｏｔｈや無線ＬＡＮ等の無線通信を利用したシステムであってもよい。
【００８４】
上記実施形態では、電話帳データを非公開データと公開データとを同じ記憶部１１に記憶するようにした。しかし、非公開データと公開データとが関連付けられていれば、異なる記憶媒体に記憶するようにしてもよい。
【００８５】
上記実施形態では、情報処理装置２とデータ管理装置３とは異なる装置として説明した。しかし、情報処理装置２とデータ管理装置３は同一の装置であってもよい。
【００８６】
上記実施形態では、プログラムが、それぞれメモリ等に予め記憶されているものとして説明した。しかし、通信装置を、装置の全部又は一部として動作させ、あるいは、上述の処理を実行させるためのプログラムを、フレキシブルディスク、ＣＤ−ＲＯＭ（Compact Disk Read-Only Memory）、ＤＶＤ（Digital Versatile Disk）、ＭＯ（Magneto Optical disk）などのコンピュータ読み取り可能な記録媒体に格納して配布し、これを別のコンピュータにインストールし、上述の手段として動作させ、あるいは、上述の工程を実行させてもよい。
【００８７】
さらに、インターネット上のサーバ装置が有するディスク装置等にプログラムを格納しておき、例えば、搬送波に重畳させて、コンピュータにダウンロード等するものとしてもよい。
【符号の説明】
【００８８】
１  携帯電話装置
２  情報処理装置
３  データ管理装置
４  ネットワーク回線網
５  電話回線網
１１  記憶部
１４  表示部
１５  制御部
１５ａ  表示制御部
１００  通信システム
【図１】
2010239306.tif 000003
【図２】
2010239306.tif 000004
【図３】
2010239306.tif 000005
【図４】
2010239306.tif 000006
【図５】
2010239306.tif 000007
【図６】
2010239306.tif 000008
【図７】
2010239306.tif 000009
【図８】
2010239306.tif 000010
【図９】
2010239306.tif 000011
【図１０】
2010239306.tif 000012